(57)【要約】      （修正有）【課題】転倒発生時に脊髄だけでなく胸部や両側脇腹部も保護することができ、しかも、背中保護部を背中に安定よく装着でき、激しい動きに対応することができる保護機能の高いスポーツ用衣服を提供する。【解決手段】後身頃の背中の部位に脊髄保護パット設けた背中保護部１の前部両側に、この背中保護部１の両側肩部から連なって下方に伸び、肩保護パット５と胸保護パット６を備えた幅のある前部保護部２、２を設けて衣服Ａを袖無し羽織の形状に形成し、上記背中保護部１の下部で両側の位置に、先端を一対の面ファスナー７、７ａで互いに結合する腰ベルト３を設け、上記前部保護部２、２の下端部が面ファスナーで腰ベルト３に係止するようになっている。【選択図】図４
0003103393.tif 000002
【実用新案登録請求の範囲】
【請求項１】
後身頃の背中の部位に脊髄保護パットを設けた背中保護部の前部両側に、この背中保護部の両側肩部から連なって下方に伸び、肩と胸の保護パットを備えた幅のある前部保護部を設けて袖無し羽織の形状に形成され、上記背中保護部の下部で両側の位置に、先端を一対の面ファスナーで結合する左右一対の腰ベルトを設け、上記前部保護部の下端部を腰ベルトに係止できるようにしたスポーツ用衣服。
【請求項２】
上記左右一対の腰ベルトが、先端を一対の面ファスナーで結合する内ベルトと、この外面側に位置する外ベルトの二重構造となり、上記一方内ベルトの外面と、外ベルトの先端部内面及び上記前部保護部の内面とに一対の面ファスナーを設けた請求項１に記載のスポーツ用衣服。
【請求項３】
上記前部保護部材が伸縮性を有する請求項１又は２に記載のスポーツ用衣服。
【請求項４】
上記背中保護部の脊髄保護パットは、複数に分割され、背中の部位に所定の間隔で上下に並べた配置で設けられている請求項１乃至３の何れかに記載のスポーツ用衣服。
【請求項５】
上記腰ベルトの背中保護部に連なる部分が広幅部分となり、この広幅部分に脇腹保護パットが設けられている請求項１乃至４の何れかに記載のスポーツ用衣服。
【考案の詳細な説明】
【技術分野】
【０００１】
この考案は、スノーボードやローラプレート等の競技や練習を行う場合に着用し、転倒した時に身体を保護するためのスポーツ用衣服に関する。
【背景技術】
【０００２】
スノーボードやローラプレート等のスポーツにおける競技や練習を行う場合に、転倒による事故から身体を守るための防具として、身体の保護せんとする部位に衝撃吸収用の保護パットを設けたスポーツ用衣服を着用することが行われており（例えば、特許文献１参照）、特に、上述したスノーボードやローラプレート等の競技においては、後方への転倒の発生が生じやすく、このような後方への転倒による脊髄の損傷が重大な事故を引き起こすことになるので、スノーボードやローラプレート用のスポーツ用衣服は、背中を保護する目的のために、背中の部位に脊髄保護パットが設けられた専用のスポーツ用衣服が提案されている。
【０００３】
上記した従来のスポーツ用衣服の具体的な構造は、後身頃の背中の部位に脊髄保護パットを設けた背中保護部の前部両側に、この背中保護部の両側肩部から連なって下方に伸びる前紐を設け、上記背中保護部の下部で両側の位置に、先端を結合する左右一対の腰ベルトを設け、背中に背中保護部を当てがった状態で前紐を肩から身体胴部の前に引き出し、その下端部を腰ベルトに結合することにより、背中保護部の装着状態を保持するようになっている。
【０００４】
【特許文献１】特開２００２−３０５０２号公報（図４）
【考案の開示】
【考案が解決しようとする課題】
【０００５】
ところで、上記した従来の背中を保護するためのスポーツ用衣服は、背中の保護だけを主目的としているので、身体胴部の前部が開放されたままとなり、転倒発生時に胸部や両側脇腹部を保護することができないため、転倒時の保護機能が十分ではなく、スポーツ用衣服として安全性確保の点で改善の余地がある。
【０００６】
また、肩から前に垂らした前紐を腰に巻き締めた腰ベルトに結合することによって、背中に沿わせた背中保護部の装着状態を保持するので、衣服の着脱に手間がかかるだけでなく、激しい動きに対して背中保護部の装着状態が不安定であるという問題がある。
【０００７】
そこで、この考案の課題は、転倒発生時に胸部や両側脇腹部も保護することができ、しかも、背中保護部を背中に安定よく装着でき、激しい動きに対応することができる保護機能の高いスポーツ用衣服を提供することにある。
【課題を解決するための手段】
【０００８】
上記のような課題を解決するため、請求項１の考案は、後身頃の背中の部位に脊髄保護パットを設けた背中保護部の前部両側に、この背中保護部の両側肩部から連なって下方に伸び、肩と胸の保護パットを備えた幅のある前部保護部を設けて袖無し羽織の形状に形成され、上記背中保護部の下部で両側の位置に、先端を一対の面ファスナーで結合する左右一対の腰ベルトを設け、上記前部保護部の下端部を腰ベルトに係止できるようにした構成を採用したものである。
【０００９】
請求項２の考案は、上記左右一対の腰ベルトが、先端を一対の面ファスナーで結合する内ベルトと、この外面側に位置する外ベルトの二重構造となり、上記一方内ベルトの外面と、外ベルトの先端部内面及び上記前部保護部の内面とに一対の面ファスナーを設けた構成を採用したものである。
【００１０】
請求項３の考案は、上記前部保護部材が伸縮性を有する構成を採用したものである。
【００１１】
請求項４の考案は、上記背中保護部の脊髄保護パットは、複数に分割され、背中の部位に所定の間隔で上下に並べた配置で設けられている構成を採用したものである。
【００１２】
請求項５の考案は、上記腰ベルトの背中保護部に連なる部分が広幅部分となり、この広幅部分に脇腹保護パットが設けられている構成を採用したものである。
【００１３】
ここで、上記背中保護部は、背中の全面を覆えるような大きさの略卵型に縫製され、脊髄保護パットに用いる材質に硬質と軟質の何れかを選択することにより、ハードタイプとソフトタイプの何れかの構造になっている。
【００１４】
上記前部保護部は、ゴムのような伸縮性を有する材質を用い、背中保護部に連なる上端は肩の幅に対応する程度の幅を有し、この肩の部分から下端に向けて徐々に幅が狭くなっていくような形状を有し、肩の部分とこれに連なる部分に、硬質や軟質の肩用保護パットと胸用保護パットが設けられている。
【００１５】
また、上記腰ベルトにおける左右一対の内ベルトは、背中に背中保護部を重ねた状態で、身体の胴部に巻き付けた時、先端側が十分な長さだけ互いに重なり合うような長さに設定され、この重なり合う対向面に設けた一対の面ファスナーで結合すると共に、外ベルトは内ベルトよりも少し短く設定され、その先端部を両内ベルトの先端部外面との対向面に設けた一対の面ファスナーで結合し、外ベルトと内ベルトで前部保護部の下端部を挟み込むようになっている。
【考案の効果】
【００１６】
以上のように、この考案によると、脊髄保護パットを設けた背中保護部の前部両側に、この背中保護部の両側肩部から連なって下方に伸び、肩と胸の保護パットを備えた幅のある前部保護部を設け、上記背中保護部の下部で両側の位置に、先端を一対の面ファスナーで結合する腰ベルトを設け、上記前部保護部の下端部を腰ベルトに係止できるようにしたので、衣服が袖無し羽織の形態となり、背中保護部の脊髄保護パットによる脊髄の保護だけでなく、同時に肩と胸及び脇腹の部分を常に保護することでき、スポーツの競技や練習時の安全性を格段に向上させることができる。
【００１７】
また、前部保護部の下端を腰ベルトに係止するので、腰ベルトとによって背中保護部を背中側へ確実に引き寄せることができ、脊髄保護パットを確実に身体の脊髄に密着させることができ、また、腰ベルトの接続及び腰ベルトへの前部保護部の係止を面ファスナーで行うので、着脱作業が簡単容易であるだけでなく、前部保護部の下端部を腰ベルトの内外ベルト間に挟み込むことで、着用時における前部保護部の下端部の保持が確実に行え、腰ベルトからの離脱の発生を防ぐことができる。
【考案を実施するための最良の形態】
【００１８】
衣服を、脊髄保護パットを設けた背中保護部の前部両側に、この背中保護部の両側肩部から連なって下方に伸び、肩と胸の保護パットを備えた幅のある前部保護部を設けて袖無し羽織の形状に形成し、上記背中保護部の下部で両側の位置に、先端を互いに一対の面ファスナーで結合する腰ベルトを設け、上記前部保護部の下端部を腰ベルトに係止できるようにする。
【実施例１】
【００１９】
図示のように、スポーツ用衣服Ａは、強靱な材料を用い、背中の全面を覆えるような大きさの略卵型に縫製された背中保護部１と、この背中保護部１の前面で両側に位置し、背中保護部１の両側の肩部から連なって下方に伸びる前部保護部２、２と、背中保護部１の下部に設けた腰ベルト３とで構成され、衣服Ａの全体が丁度、袖無し羽織である「ちゃんちゃんこ」のような形状になっている。
【００２０】
上記背中保護部１は、背中の部位に脊髄保護パット４が、図２のように、背中の部位において外布と内布の間に縫い込まれ、首部から尾てい骨に該当する範囲にわたって、所定の間隔で上下に並んで複数に分割された配置で設けられている。
【００２１】
上記前部保護部２、２は、背中保護部１に連なる上端が肩の幅に対応する程度の広い幅を有し、この肩の部分から下端に向けて徐々に幅が狭くなっていくような形状を有し、肩の部分とこれに連なる部分に、硬質や軟質の肩用保護パット５と胸用保護パット６が設けられている。
【００２２】
この前部保護部２、２は、一部又は全部にゴムのような伸縮性を有する材質１３を用い、身体の運動に追従して抵抗を与えないような構造になっている。
【００２３】
上記腰ベルト３は、後端が背中保護部１に縫着され、先端を一対の面ファスナー７、７ａで結合する左右一対の内ベルト８、８と、この外面側に位置する左右一対の外ベルト９、９の二重構造となり、内ベルト８、８は、背中に背中保護部１を重ねた状態で、身体の胴部に巻き付けた時、先端側が十分な長さだけ互いに重なり合うような長さに設定され、着用者の腰廻り寸法の変化に対して広範に対応することができるよう、この重なり合う対向面に設けた一対の面ファスナー７、７ａで結合すると共に、外ベルト９、９は後端が背中保護部１に縫着され、長さが内ベルト８、８よりも少し短く設定され、その先端部を両内ベルト８、８の先端部外面との対向面に設けた一対の面ファスナー１０、１０ａで結合するようになっている。
【００２４】
また、上記前部保護部２、２の下端部で内面側の位置に、内ベルト８、８の先端部外面に設けた面ファスナー１０と係止するための面ファスナー１１が設けられ、外ベルト９と内ベルト８で前部保護部２の下端部を挟み込むことができるようになっている。
【００２５】
従って、腰ベルト３を身体の胴部に巻き締めた状態で背中保護部１の下部を身体に固定することができ、また、前部保護部２、２を身体の前で肩から下方に垂らし、その下端を腰ベルト３に係止することにより、背中保護部１の上部が身体に安定よく強固に固定されることになる。
【００２６】
上記腰ベルト３における内ベルト８、８の背中保護部１に連なる後端側は、上下に広幅とし、この広幅部分に脇腹保護パット１２が設けられている。
【００２７】
上記した脊髄保護パット３と肩保護パット５、胸保護パット６及び脇腹保護パット１２は、綿の詰め物やスポンジ、弾性のあるゴム、発泡合成樹脂等の衝撃吸収材を用い、身体の保護したい部位に応じた大きさと形状に形成され、特に背中保護部１は、脊髄保護パット４に用いる材質に硬質と軟質の何れかを選択することにより、ハードタイプ又はソフトタイプの何れかの構造になっている。
【００２８】
この考案のスポーツ用衣服Ａは、上記のような構成であり、スノーボードやローラプレート等のスポーツの競技や練習を行う場合にスポーツ用衣服Ａを着用する。
【００２９】
上記スポーツ用衣服Ａを着用するには、背中保護部１を背中に重ね、両側の前部保護部２、２を身体の前で肩から下方に垂らし、先ず、腰ベルト３における両側内ベルト８、８を引っ張りながら、身体の腰部の前で面ファスナー７、７ａを係合させることにより結合し、続いて両側の前部保護部２、２の下端に設けた面ファスナー１１を内ベルト８の外面に設けた面ファスナー１０に係止し、次に、外ベルト９を前部保護部２の下端の上から内ベルト８に重ねて面ファスナー１０、１０ａを係止すれば、腰ベルト３を身体の胴部に巻き締めた状態となり、この腰ベルト３で背中保護部１の下部を身体に固定することができ、また、前部保護部２、２の下端が腰ベルト３に係止されていることにより、背中保護部１の上下部が身体に安定よく固定されることになる。
【００３０】
このように、衣服Ａを着用すると背中保護部１は背中に固定化され、脊髄保護パット４が位置決めされて身体の脊髄の外側に密着すると共に、激しい運動をしても背中保護部１の捲くれ上がりや周方向への位置ずれの発生がなく、しかも、肩保護パット５と胸保護パット６を設けた前部保護部２、２が胸部分の前面を覆い、脇腹保護パット１２を設けた内ベルト８、８の後端側が脇腹を覆うことにより、脊髄保護パット４による身体の脊髄を保護する状態と、肩と胸の保護及び脇腹の部分を常に保護することでき、これにより、転倒時の打撲による脊髄や他の部位の損傷事故の発生を確実に防いで身体を守ることができ、上記したスポーツの競技や練習時の安全性を確保することができる。
【図面の簡単な説明】
【００３１】
【図１】この考案に係るスポーツ用衣服の展開した正面図
【図２】この考案に係るスポーツ用衣服の展開した背面図
【図３】この考案に係るスポーツ用衣服の腰ベルトを結合した状態の正面図
【図４】この考案に係るスポーツ用衣服の腰ベルトを結合する途中の状態を示す斜視図
【図５】図３の矢印ａ−ａに沿う腰ベルトの結合部分を拡大した横断平面図
【符号の説明】
【００３２】
Ａ      スポーツ用衣服
１      背中保護部
２      前部保護部
３      腰ベルト
４      脊髄保護パット
５      肩パット
６      胸パット
７      面ファスナー
７ａ    面ファスナー
８      内ベルト
９      外ベルト
１０    面ファスナー
１０ａ  面ファスナー
１１    面ファスナー
１２    脇腹保護パット
１３    伸縮性部材
【図１】
0003103393.tif 000003
【図２】
0003103393.tif 000004
【図３】
0003103393.tif 000005
【図４】
0003103393.tif 000006
【図５】
0003103393.tif 000007